(57)【特許請求の範囲】
【請求項１】
ディスクからのアンローディング時にアクチュエータがディスクの外側に完全に抜け出ない狭小構造ディスクドライブであって、
前記ディスクドライブ内のディスクの外側に位置するよう該ディスクドライブのベースに設けられたブロック体と、
前記ブロック体上に前記ディスクに近づく方向に、あるいは前記ディスクから遠ざかる方向に、それぞれ、上昇及び下降移動自在に設けられたランプ部材であって、前記ランプ部材の前記ディスクに面する側の前側端にスイングアームの進入方向から漸進的に下向きに緩い傾斜を有する傾斜面が形成され、前記アクチュエータのアンローディング時には、前記ディスクから遠ざかる方向に移動して前記ブロック体と接し、もってアンローディング後のスイングアームの側端を拘束し、かつ前記アクチュエータのロ−ディング時には、前記ディスクに近づく方向に移動し、もって前記スイングアームの側端の拘束を解除するランプ部材と、
前記ランプ部材の上部に置かれて該ランプ部材の前記ディスクに近づく方向の上昇移動を制限するストッパと、
前記ランプ部材の下面に挿着された永久磁石と、該永久磁石と対向するよう前記ブロック体の上面に挿着された電磁石と、から成る、前記ランプ部材を前記ブロック体と前記ストッパとの間で昇降させる昇降手段と、を備えることを特徴とする狭小構造ディスクドライブ。
【請求項２】
前記昇降手段は、前記ランプ部材の下面に挿着された永久磁石と、該永久磁石と対向するよう前記ブロック体の上面に挿着された電磁石と、を備えることを特徴とする請求項１に記載の狭小構造ディスクドライブ。
【請求項３】
前記昇降手段は、前記ストッパと前記ランプ部材との間に介して前記ランプ部材を前記ブロック体方向に付勢するバネをさらに備えることを特徴とする請求項２に記載の狭小構造ディスクドライブ。
【請求項４】
前記昇降手段は、前記電磁石の中央部を貫通して前記永久磁石と対向するよう前記ブロック体に設けられた鉄片をさらに備えることを特徴とする請求項２に記載の狭小構造ディスクドライブ。
【請求項５】
前記アクチュエータのアンローディング時、前記スイングアームの側端が拘束されるよう前記ディスクに向けて前記ランプ部材から突設されたロッキングフックをさらに備えることを特徴とする請求項２に記載の狭小構造ディスクドライブ。
【発明の詳細な説明】
【０００１】
【発明の属する技術分野】
本発明は主にコンピュータの補助記憶装置として用いられるディスクドライブに係り、さらに詳しくは情報の記録／再生のためにディスク上に光ヘッドまたは磁気ヘッドをフライングさせるアクチュエータのローディング／アンローディング装置に関する。
【０００２】
【従来の技術】
通常、ユーザにより情報の記録／再生が可能なようになったディスクドライブのうち特にハードディスクドライブ（ＨＤＤ；  Ｈａｒｄ  Ｄｉｓｋ  Ｄｒｉｖｅ）は、パソコンの補助記憶装置として多用されている。このようなハードディスクドライブは、周知の通り、磁気物質が塗布されているディスクの半径方向に磁気ヘッドを移動させることで、所望の情報を記録／再生できる磁気記録（Ｍａｇｎｅｔｉｃ  Ｒｅｃｏｒｄｉｎｇ）原理を用いたものが使用されて来た。
【０００３】
最近のハードディスクドライブは記憶容量の増大と規格のコンパクト化が要求されており、よって磁気記録方式の代りに光記録再生方式を採用してこれを実現している。
【０００４】
図１はハードディスクドライブの一典型であって、上部カバー（図示せず）が開放された状態を概略的に示した図である。図１に示した通り、従来のハードディスクドライブは、環状の磁気ディスク１０がベース１００に設けられたスピンドルモータ（図示せず）の回転軸１１０に高速回転が可能な状態に装着される。そして、前記ディスク１０の周りには先端部に磁気ヘッドｈの取付けられたアクチュエータ１３０がボイスコイルモータ（ＶＣＭ）１２０の駆動によりピボット軸ｐを中心に回動自在に設けられる。従って、前記アクチュエータ１３０がディスク１０の信号面トラックに沿って磁気ヘッドｈをフライング（ｆｌｙｉｎｇ）させることにより、ディスク１０に記録されたデータを再生したり新なデータを記録する。
【０００５】
アクチュエータ１３０は、ピボット軸ｐに結合されるスイングアーム１３１と、該スイングアーム１３１に設けられる板バネ型のサスペンション１３２で構成され、磁気ヘッドｈは前記サスペンション１３２の先端部に設けられる。
【０００６】
磁気ヘッドｈはハードディスクドライブ１１の起動時、ディスク１０の高速回転により発生する空気流れによりディスク１０上で一定高さに浮上する。この状態で、磁気ヘッドｈはアクチュエータ１３０がディスク１０の内側に回動することによりディスク１０上を移動し、ディスク１０の停止時はアクチュエータ１３０がディスク１０の外側に回動することにより、アクチュエータローディング／アンローディング装置２００にパーキングされる。
【０００７】
図２に示した通り、アクチュエータローディング／アンローディング装置２００は、アクチュエータ１３０の終端部に下向き突出されるよう備えられたタブ１３３及び該タブ１３３がスライディング進入して安着されるランプ部材２１０を備えて構成される。ランプ部材２１０は前記タブ１３３の進入方向から次第に緩い傾斜を有するよう傾斜面が形成され、タブ１３３が完全に進入して安着されるよう傾斜面が終わる部分は平面状態に形成される。
【０００８】
ところが、前述したような従来のハードディスクドライブ１１のアクチュエータローディング／アンローディング装置２００によれば、アクチュエータ１３０のアンローディング時前記タブ１３３が前記ランプ部材２１０の傾斜面に沿って移動することによりサスペンション１３２が上下に変形されるため、アクチュエータ１３０がディスク１０の外側に完全に抜け出られないコンパクトな構造では使用できない問題点がある。
【０００９】
特に、磁気記録方式の代りに光記録再生方式を採用する場合はアクチュエータ１３０に多種の光学部品が装着されるためその体積が大きくなって、アクチュエータ１３０がアンローディング時ディスク１０の外側に完全に抜け出られない構造になるため、従来のようにアクチュエータ１３０のアンローディング時前記タブ１３３が前記ランプ部材２１０に単純に搭載された状態に置かれれば、外部から振動や衝撃が加わる場合にヘッドｈがディスク１０に衝突してディスク１０を損傷させる問題点がある。
【００１０】
【発明が解決しようとする課題】
本発明は前述したような従来のハードディスクドライブのアクチュエータローディング／アンローディング装置の抱える問題点を解決するために案出されたもので、その目的はアンローディング時アクチュエータがディスクの外側に完全に抜け出られない狭小の構造のディスクドライブにも適用できるようその構造が改善されたディスクドライブのアクチュエータローディング／アンローディング装置を提供するところにある。
【００１１】
【課題を解決するための手段】
前述したような本発明の目的は、ディスクの外側に置かれるようディスクドライブのベースに設けられたブロック体と、該ブロック体上に昇降自在に設けられアクチュエータのローディング／アンローディング時前記アクチュエータのスイングアームの側端を拘束してパーキングさせるランプ部材と、該ランプ部材の上昇範囲を制限するストッパと、前記ランプ部材を前記ブロック体とストッパとの間で昇降させる昇降手段とを備えるディスクドライブのアクチュエータローディング／アンローディング装置を提供することにより達成される。
【００１２】
ここで、前記昇降手段は、前記ランプ部材の下面に挿着された永久磁石と、該永久磁石と対向するよう前記ブロック体の上面に挿着された電磁石を備える。
【００１３】
本発明の他の側面によれば、前記昇降手段は、前記ストッパと前記ランプ部材との間に介して前記ランプ部材を前記ブロック体方向に付勢するバネと、前記電磁石の中央部を貫通して前記永久磁石と対向するよう前記ブロック体に設けられた鉄片をさらに備える。前記ランプ部材にはアンローディング時前記スイングアームの側端が拘束されるよう前記ディスクに向けてロッキングフックが突設される。
【００１４】
本発明によれば、ランプ部材がアクチュエータを拘束した状態で昇降することにより、アクチュエータがアンローディング時ディスクの外側に完全に抜け出なくてもディスクと離隔され得るので、ディスクドライブのコンパクトな構造を実現することができる。
【００１５】
【発明の実施の形態】
以下、添付した図面に基づき本発明の望ましい実施形態を詳述する。一方、従来の技術と同一な部分については同一な参照符号を付し、それに対する詳細な説明は省く。
【００１６】
図３に示した通り、本発明に係るアクチュエータローディング／アンローディング装置が適用されたハードディスクドライブ１１１は光記録再生方式を採用したもので、環状の光ディスク２０がベース１００に設けられたスピンドルモータ（図示せず）の回転軸１１０に高速回転が可能な状態に装着される。そして前記ディスク２０の周りには先端部に光ヘッドｈ’の取付けられたアクチュエータ３０がボイスコイルモータ（ＶＣＭ）１２０の駆動によりピボット軸ｐを中心に回動自在に設けられる。
【００１７】
アクチュエータ３０は、ピボット軸ｐに結合されるスイングアーム３１と、スイングアーム３１に設けられる弾性体のフレクシャー（Ｆｌｅｘｕｒｅ）３２と、を備える。光ヘッドｈ’は前記フレクシャー３２の先端部に設けられる。
【００１８】
光ヘッドｈ’はアクチュエータ３０の回動に伴ってディスク２０からローディング／アンローディングされ、アンローディング時アクチュエータ３０がディスク２０の外側に移動することで、アクチュエータローディング／アンローディング装置３００にパーキングされる。
【００１９】
図４Ａ及び図４Ｂに示した通り、前記アクチュエータローディング／アンローディング装置３００は、ディスク２０の外側に置かれるようベース１００に設けられたブロック体３１０と、該ブロック体３１０上に昇降自在に設けられるランプ部材３２０と、ランプ部材３２０の上部に置かれてランプ部材３２０の上昇範囲を制限するストッパ３３０と、前記ランプ部材３２０をブロック体３１０とストッパ３３０との間で昇降させる昇降手段とからなる。
【００２０】
ここで昇降手段は、ランプ部材３２０の下面に挿着された永久磁石３２１と、該永久磁石３２１と対向するよう前記ブロック体の上面に挿着された電磁石３１１とからなり、前記ブロック体３１０には電磁石３１１の中央部を貫通して永久磁石３２１と対向するようピン形状の鉄片３１２が設けられることが望ましい。一方、永久磁石３２１の代りに他の形態の磁石、例えば第２電磁石なども使用できる。
【００２１】
一方、前記ランプ部材３２０は昇降運動時、両端がストッパ３３０とブロック体３１０にそれぞれ固定された一対のガイド棒３４０によりガイドされるが、前記ガイド棒３４０のストッパ３３０とランプ部材３２０との間にはランプ部材３２０をブロック体３１０方向に付勢するよう圧縮コイルバネ３５０が設けられることが望ましい。また、前記ランプ部材３２０にはディスク２０に向けてロッキングフック３２２が突設され、前記スイングアーム３１の側端には突起部３１ａが形成され、アクチュエータ３０のアンローディング時スイングアーム３１の突起部３１ａがロッキングフック３２２に係止される。図面において未説明符号４００はハードディスクドライブ１１１のカバーを示す。
【００２２】
前述したような構成を有する本発明に係るハードディスクドライブ１１１のアクチュエータローディング／アンローディング装置の動作状態を説明すれば次の通りである。
【００２３】
図４Ａ及び図４Ｂに示した通り、ハードディスクドライブ１１１の起動が止まっている状態で、ランプ部材３２０はブロック体３１０と接しており、アクチュエータ３０は該ランプ部材３２０のロッキングフック３２２により拘束されている。この状態で、ハードディスクドライブ１１１の起動が開始すれば、回路部（図示せず）を介して永久磁石３２１と同一な極性を有するよう電磁石３１１に電源が印加される。
【００２４】
このように永久磁石３２１と電磁石３１１が同一な極性を有すれば相互間に斥力が発生し、図５Ａ及び図５Ｂに示した通り、ランプ部材３２０がガイド棒３４０によりガイドされ上昇し、これにより圧縮コイルバネ３５０は圧縮される。ランプ部材３２０がストッパ３３０と接する高さまで上昇すれば、アクチュエータ３０は、ボイスコイルモータ１２０の駆動により回動しつつランプ部材３２０のロッキングフック３２２から抜け出て、高速で回転するディスク２０の内側半径方向にローディングされる。
【００２５】
その後、アクチュエータ３０のフレクシャー３２に保持された光ヘッドｈ’はディスク２０の高速回転により発生する空気流れによりディスク２０の記録面上を微小高さで浮上した状態に移動しつつ、ディスク２０に記録されたデータを再生したり新なデータを記録する。
【００２６】
一方、アクチュエータ３０がローディングされた後は電磁石３１１に印加された電源が遮断され、ランプ部材３２０はその自重と圧縮コイルバネ３５０の復原力及び前記永久磁石３２１と鉄片３１２との間に働く磁気力によりブロック体３１０方向に下降する。
【００２７】
記録／再生作業が完了してハードディスクドライブ１１１の起動が止まる時は、アクチュエータ３０がディスク２０の外側半径方向に回動してアンローディングされる。ランプ部材３２０は、アクチュエータ３０のアンローディング速度に合わせて前述した過程を通して上昇する。ランプ部材３２０の上昇が完了されれば、図５Ａ及び図５Ｂに示した通り、スイングアーム３１の側端に形成された突起部３１ａがランプ部材３２０のロッキングフック３２２に係止され、ランプ部材３２０は再び下降してアクチュエータ３０に取付けられた光学部品と光ヘッドｈ’がディスク２０と接触しないようアクチュエータ３０を拘束する。
【００２８】
以上のようにランプ部材３２０は、電磁石３１１に印加された電源が遮断された状態でその自重と圧縮コイルバネ３５０の復原力及び永久磁石３２１と鉄片３１２との間の磁気力により下降する場合もあるが、回路部で電磁石３１２に流れる電流の方向を変えて永久磁石３２１の極性と電磁石３１１の極性とが相違になることから発生する引力により下降する場合もある。
【００２９】
【発明の効果】
以上述べた通り、本発明に係るディスクドライブのアクチュエータローディング／アンローディング装置によれば、ランプ部材３２０がアクチュエータ３０を拘束した状態に昇降することにより、アクチュエータ３０がアンローディング時ディスク２０の外側に完全に抜け出なくてもディスク２０と離隔できるため、アクチュエータ３０の安定したパーキング状態を維持してディスク２０との衝突を防止することができる。また、永久磁石３２１と鉄片３１２との間に働く引力とバネ３５０の弾性復原力によりランプ部材３２０がアクチュエータ３０を拘束した状態でブロック体３１０に固定されるため、ディスクドライブ１１１に電源が印加されないまま外部から振動や衝撃が加わってもアクチュエータ３０とディスク２０が衝突することを防止することができる。
【００３０】
従って、本発明に係るディスクドライブのアクチュエータローディング／アンローディング装置によれば、アクチュエータ３０がアンローディング時ディスク２０の外側に完全に抜け出なくても済むので、ディスクドライブのコンパクトな構造を実現でき、特に光記録再生方式のディスクドライブにおいてアクチュエータ３０の安定的なローディング／アンローディングが可能である。
【００３１】
以上では本発明の特定の望ましい実施形態について示しかつ説明した。しかし、本発明は前述した実施形態に限らず、特許請求の範囲で請求する本発明の要旨を逸脱せず本発明の属する技術分野において通常の知識を持つ者ならば誰でも多様な変形実施形態が可能であろう。
【図面の簡単な説明】
【図１】従来のハードディスクドライブのカバーを開放した状態を概略的に示した平面図である。
【図２】図１のハードディスクドライブの一部を示した概略斜視図である。
【図３】本発明に係るアクチュエータローディング／アンローディング装置が適用されたハードディスクドライブのカバーを開放した状態を概略的に示した平面図である。
【図４Ａ】本発明に係るアクチュエータローディング／アンローディング装置のアンローディング時の状態を概略的に示した正面図である。
【図４Ｂ】図４Ａのアクチュエータローディング／アンローディング装置の一部を切開して概略的に示した側面図である。
【図５Ａ】本発明に係るアクチュエータローディング／アンローディング装置のローディング時の状態を概略的に示した正面図である。
【図５Ｂ】図５Ａのアクチュエータローディング／アンローディング装置の一部を切開して概略的に示した側面図である。
【符号の説明】
２０  光ディスク
３０  アクチュエータ
３１  スイングアーム
３２  フレクシャー
１００  ベース
１１０  回転軸
１１１  ハードディスクドライブ
１２０  ボイスコイルモータ（ＶＣＭ）
３００  アクチュエータローディング／アンローディング装置
３１０  ブロック体
３２０  ランプ部材
３３０  ストッパ
３１１  電磁石
３１２  鉄片
３２１  永久磁石
３２２  ロッキングフック
３４０  ガイド棒
３５０  圧縮コイルバネ
ｈ’  光ヘッド
ｐ  ピボット軸
【図１】
0003618708.tif 000002
【図２】
0003618708.tif 000003
【図３】
0003618708.tif 000004
【図４Ａ】
0003618708.tif 000005
【図４Ｂ】
0003618708.tif 000006
【図５Ａ】
0003618708.tif 000007
【図５Ｂ】
0003618708.tif 000008